(57)【要約】  本発明は、ユーザの転倒を検出するシステム及び方法に関する。このシステムは、少なくとも１つのセンサ、決定ユニット及びプロセッサを有する。ユーザの体に着用される少なくとも１つのセンサは、転倒に関するセンサデータを生成し、決定ユニットは少なくとも１つのセンサのセンサ位置を決定する。プロセッサは、センサ位置に基づき転倒検出アルゴリズムを調整し、転倒が発生しているかどうかを決定するため、センサデータに基づき解析を実行する。こうして、センサ位置が変化する場合であっても、転倒検出が高い検出精度で実行され、ユーザは、好きな様にセンサを着用することにより快適さを感じる。
2012522561.tif 000002
【特許請求の範囲】
【請求項１】
ユーザの転倒を検出するシステムであって、
前記ユーザの体に着用され、前記転倒に関するセンサデータを生成するよう構成される少なくとも１つのセンサと、
前記少なくとも１つのセンサのセンサ位置を決定するよう構成される決定ユニットと、
転倒が発生しているかどうかを決定するため、前記センサデータ及び前記センサ位置に基づき解析を実行するよう構成されるプロセッサとを有する、システム。
【請求項２】
前記決定ユニットが、複数の所定のセンサ位置から前記センサ位置をユーザが選択することを可能にするインタフェースを有する、請求項１に記載のシステム。
【請求項３】
前記決定ユニットが、前記少なくとも１つのセンサを前記体に着用するためのバンドの長さを検出するよう構成される第１の回路を有し、前記バンドの長さが、複数の所定のセンサにおける前記センサ位置に対応する、請求項１に記載のシステム。
【請求項４】
前記決定ユニットが、
前記少なくとも１つのセンサを前記体に着用するためのバンドを留めるよう構成される複数の接点と、
前記複数の接点における接点の組合せを検出するよう構成される第２の回路とを有し、
前記接点の組合せが、複数の所定のセンサ位置における前記センサ位置に対応する、請求項１に記載のシステム。
【請求項５】
前記接点の組合せが、前記接点の組合せの接点数及び／又は接点分布に基づき検出される、請求項４に記載のシステム。
【請求項６】
前記接点が、前記バンドに配置されるプラグと嵌合するよう構成されるジャッキを有し、前記第２の回路は、前記ジャッキ及び前記プラグが嵌合されているかどうかを検出するよう構成される、請求項４に記載のシステム。
【請求項７】
前記決定ユニットが更に、前記センサデータに基づき参照センサ位置を推定し、前記参照センサ位置と前記センサ位置とを比較することにより、前記センサ位置が正確かどうかを決定するように構成され、前記センサデータが、高度、加速度、重力、温度及び時間のデータの任意の１つ、又はこれらの組合せである、請求項４乃至６の何れか一項に記載のシステム。
【請求項８】
前記センサ位置が正確でないとき、通知メッセージを出力する、及び／又は前記接点の組合せにより決定される前記センサ位置が、現実のセンサ位置ではないとき、誤った接点の組合せを示す警告メッセージを出力するよう構成される出力部を更に有する、請求項７に記載のシステム。
【請求項９】
ユーザの転倒を検出する方法において、
前記ユーザの体に着用される少なくとも１つのセンサにより、前記転倒に関するセンサデータを生成するステップと、
前記少なくとも１つのセンサのセンサ位置を決定ユニットにより決定するステップと、
転倒が発生しているかどうかをプロセッサを用いて決定するため、前記センサデータ及び前記センサ位置に基づき解析を実行するステップとを有する、方法。
【請求項１０】
前記決定するステップが、複数の所定のセンサ位置から前記センサ位置をインタフェースを用いてユーザが選択することを可能にするサブステップを有する、請求項９に記載の方法。
【請求項１１】
前記決定するステップが、前記少なくとも１つのセンサを前記体に着用するためのバンドの長さを第１の回路を用いて検出するサブステップを有し、前記バンドの長さが、複数の所定のセンサ位置における前記センサ位置に対応する、請求項９に記載の方法。
【請求項１２】
前記決定するステップが、複数の接点における接点の組合せを第２の回路を用いて検出するサブステップを有し、前記接点の組合せが、複数の所定のセンサにおける前記センサ位置に対応し、前記複数の接点は、前記少なくとも１つのセンサを前記体に着用するためのバンドを留めるよう構成される、請求項９に記載の方法。
【請求項１３】
前記決定するステップが、前記センサデータに基づき参照センサ位置を推定し、前記参照センサ位置と前記センサ位置とを比較することにより、前記センサ位置が正確かどうかを前記決定ユニットを用いて決定するサブステップを有し、前記センサデータが、高度、加速度、重力、温度及び時間のデータの任意の１つ、又はこれらの組合せである、請求項１２に記載の方法。
【請求項１４】
前記センサ位置が正確でないとき、通知メッセージを出力部により出力する、及び／又は前記接点の組合せにより決定される前記センサ位置が現実のセンサ位置でないとき、誤った接点の組合せを示す警告メッセージを前記出力部により出力するステップを更に有する、請求項１３に記載の方法。
【発明の詳細な説明】
【技術分野】
【０００１】
本発明は、ユーザの転倒を検出する方法及びシステムに関する。
【背景技術】
【０００２】
多くの人々は、急性疾患、障害、又は加齢から生じる慢性的な健康状態又は合併症の結果として、怪我又は死亡のリスクが増加された状態にある。長期治療を必要とする、慢性的、又は少なくとも持続的な状態に苦しむ多くの人がいる。例えば兵士、警察官、消防士、レスキュー隊の者等、危険で命を脅かす条件下で働く人もいる。多くの場合において、こうした個人の転倒を検出することは、転倒から生じる可能性のある追加的な健康問題を防止するために必要とされるとき、支援を行うのに必要である。
【０００３】
ユーザの転倒を検出するため、例えば加速度計、高度計、温度計等の異なる種類のセンサが適用される。これらのセンサは、例えば加速度、重力、高度、温度等の異なる種類のパラメータを測定し、測定されたパラメータに基づき転倒が発生しているかどうかを検出する。センサは通常、多数のパラメータを測定するため、ユーザの体上に配置される。体に対するセンサの位置が異なると、転倒を正しく検出する確率が異なる。例えば、転倒検出のため高度計が体に配置される場合、高度計が首周りに着用されるときに転倒を正確に検出する確率は、高度計が手首に着用されるときの確率より高い。これは、転倒が発生しないときでも、手首が上下に移動する頻度が首より大きく、転倒が発生するとき、首の高度変化は、手首のそれより大きいという事実に起因されることができる。従って、転倒検出に関して、センサは通常、検出精度を改善するため、首周りに着用される。
【０００４】
米国特許出願公開第２００６／０２８２０２１号は、デバイスを着用する人の活動レベル及び動きを監視するウェアラブル監視デバイスを含む運動解析遠隔モニタシステムを開示する。このウェアラブル監視デバイスは、転倒の特徴的な運動を用いるモデル解析技術を用いて、人が転倒したかを決定することができる。このウェアラブルデバイスは一般に、短距離においてデータ及び警報を端末に送信する。この端末は続いて、監視センターにデータ及び警報を送信する。運動解析遠隔モニタシステムは、疲労及び他のパフォーマンス係数だけでなく運動における変化を介して疾患の進行を監視することもできる。
【発明の概要】
【発明が解決しようとする課題】
【０００５】
転倒を検出するための現在のソリューションの多くは、検出精度を改善するため、例えば首といった体上の最良の位置にセンサを配置することにより機能する。しかしながら、本願の発明者は、高い検出精度のため最良の位置にセンサを配置するだけでは、ユーザの必要性を満たすことができないことを発見した。
【０００６】
例として初老のユーザの転倒検出を考えれば、転倒検出精度を改善するため、この初老のユーザが、バンドに付けられるセンサを首周りに着用することがより好適である。しかしながら、日中において高い検出精度を持つ最良の位置は、夜間にはユーザを不快にする最悪な位置となる。夜間においてもなお、初老のユーザはセンサを着用するべきである。なぜなら、例えば何か飲む又はトイレに行くなどのため起き上がる必要がある場合があるからである。このときユーザは非常に不快さを感じる。なぜなら、首回りのセンサが、胸を圧迫する場合があり、又は睡眠中に寝返りをうつとき、バンドが首周りを包むことがある場合があるからである。従って、日中はセンサを首回りに着用し、夜間は手首に着用することが好ましい。
【０００７】
別の例として慢性疾患を持つ患者の転倒検出を考えると、歩くことができる患者に対する最良のソリューションは、センサを首周りに着用することである。ほとんどの時間をベッドで過ごす患者に対する最良のソリューションは、センサを手首に着用することである。センサが１つの所定の位置に配置されるときだけ転倒を検出する転倒検出システムは、患者の状態が変化する場合、機能を続行することができない。例えば、患者が頻繁に歩き始める又は患者がもうこれ以上歩くことができないとき、このシステムは機能を続行することができない。なぜなら、患者に関するセンサの最良の位置が変化したからである。患者は、転倒検出に関する新しいシステムを購入する必要がある。新しいシステムを買うことは、患者の財政的な負担を増し、古いシステムのハードウェアがまだ使用可能な場合には、無駄でもある。
【０００８】
上述のユーザ要件を考慮すると、センサがユーザの体上の異なる位置に配置されるときでも、転倒検出システムが機能することを可能にすることが有利である。更に、転倒検出システムがユーザにとって操作しやすいことも望ましい。
【課題を解決するための手段】
【０００９】
上記の懸念の１つ又は複数を好適に処理するため、本発明の第１の側面において、ユーザの転倒を検出するシステムが提供される。このシステムは、
上記ユーザの体に着用され、上記転倒に関するセンサデータを生成するよう構成される少なくとも１つのセンサと、
上記少なくとも１つのセンサのセンサ位置を決定するよう構成される決定ユニットと、
転倒が発生しているかどうかを決定するため、上記センサデータ及び上記センサ位置に基づき解析を実行するよう構成されるプロセッサとを有する。
【００１０】
センサ位置が体の特定の部分に対応するので、プロセッサにより実行される転倒検出解析は、体の特定の部分の運動特性と整合するよう調整される。従って、センサ位置が変化する場合であっても、転倒検出精度は保証される。同時に、ユーザは、ユーザにとって好きな態様でセンサを着用することにより快適さを感じる。
【００１１】
ある実施形態において、上記決定ユニットが、上記少なくとも１つのセンサを上記体に着用するためのバンドを留めるよう構成される複数の接点と、上記複数の接点における接点の組合せを検出するよう構成される第２の回路とを有し、上記接点の組合せが、複数の所定のセンサ位置における上記センサ位置に対応する。
【００１２】
複数の接点をセットすることにより、センサが体の異なる部分に着用されることを可能にする異なる接点の組合せを用いて、ユーザはバンドを留めることができる。第２の回路は、接点の組合せを検出することによりセンサ位置を決定する。従って、ユーザがする必要があるのは、単に異なる態様で異なる位置にセンサを着用することだけである。このシステムは、ユーザからの他の任意の余分な動作なしにセンサ位置を自動的に決定する。従って、全体の処理は、非常に簡単であり、システムはユーザにとって操作が容易である。
【００１３】
本発明の第２の側面において、ユーザの転倒を検出する方法が提供される。この方法は、
上記ユーザの体に着用される少なくとも１つのセンサにより、上記転倒に関するセンサデータを生成するステップと、
上記少なくとも１つのセンサのセンサ位置を決定ユニットにより決定するステップと、
転倒が発生しているかどうかをプロセッサを用いて決定するため、上記センサデータ及び上記センサ位置に基づき解析を実行するステップとを有する。
【図面の簡単な説明】
【００１４】
【図１】本発明によるシステムの実施形態の概略を示す図である。
【図２ａ】決定ユニットの実施形態の概略を示す図である。
【図２ｂ】複数の接点の実施形態の概略を示す図である。
【図２ｃ】接点の実施形態の概略を示す図である。
【図２ｄ】第２の回路の実施形態の概略を示す図である。
【図３】本発明による方法を示すフローチャートである。
【発明を実施するための形態】
【００１５】
本発明のこれらの及び他の側面が、以下に説明される実施形態より明らとなり、これらの実施形態を参照して説明されることになる。
【００１６】
本発明の上記及び他の目的及び特徴は、添付の図面に関連して考慮される以下の詳細な記載から明らかになる。
【００１７】
同じ参照番号は、図面を通して類似するパーツを表すために用いられる。
【００１８】
図１は、本発明によるシステム１００の実施形態の概略図を示す。
【００１９】
システム１００は、ユーザの転倒を検出するよう意図される。図１を参照すると、システム１００は、ユーザ（図示省略）の体上に着用されることを目的とし、転倒に関するセンサデータを生成するよう構成される少なくとも１つのセンサ１０１を有する。このシステムは、１つ又は複数のセンサ１０１を有し、このセンサ１０１は、以下のセンサとすることができる。即ち、加速度計、高度計、温度計及びクロックである。
【００２０】
一般に、センサ１０１は、例えばバンド、クランプ等といった保持治具を介して、体に着用されることができる。センサ１０１は、例えば携帯電話、ＭＰ３プレーヤ等の別の携帯型デバイスにそれらを配置することにより、体に着用されることもできる。センサ１０１が体に着用されるので、センサ１０１により生成されるセンサデータは、体の運動の特性を表し、こうしてユーザが移動するか又はじっとしているかに関係なく体の状態を導き出すことができる。転倒に関するセンサデータは、加速度、重力、高度等の任意の１つとすることができる。加速度及び重力の値及び方向が共に測定されることができる。
【００２１】
システム１００は更に、少なくとも１つのセンサ１０１のセンサ位置を決定するよう構成される決定ユニット１０２を有する。センサ位置が転倒検出に適している限り、センサ１０１は、例えば首、ウエスト、手首等といった体の任意の部分に着用されることができる。決定ユニットの実現は、後に詳細に説明されることになる。
【００２２】
システム１００は更に、転倒が発生しているかどうかを決定するため、センサデータ及びセンサ位置に基づき解析を実行するよう構成されるプロセッサ１０３を有する。プロセッサ１０３はさまざまな態様でセンサデータ及びセンサ位置を利用する。例えば、プロセッサ１０３は、検出されたセンサ位置に基づき、転倒検出に関するアルゴリズムを適合させる。例えば、システム１００が高度計及び加速度計を有するとき、高度、加速度及び重力を含むセンサデータが測定される。センサ位置が首である場合、加速度が急に増加し、重力方向は急に変化し、高度が１メートル以上減少するとき、転倒が決定される。センサ位置が手首である場合、転倒検出に関して重力は考慮されず、高度が５０センチメートル以上減少し、続いて加速度が急に減少するとき、転倒が決定される。従って、転倒検出解析は、センサ位置に基づき調整され、転倒は、センサデータに基づき検出される。ユーザが好きな態様でセンサ１０１を着用することができる一方、高い検出精度が実現される。
【００２３】
決定ユニット１０２を実現するための多くの態様が存在する。
【００２４】
ある実施態様において、決定ユニット１０２は、複数の所定のセンサ位置からユーザがセンサ位置を選択することを可能にするよう構成されるインタフェース（図示省略）を有する。センサ１０１を体に着用することに関し、複数の可能な位置が存在し、複数の所定のセンサ位置は、この可能な位置の全部又は一部を含むことができる。例えば、センサの着用に関し、３つの可能な位置が存在する。それは首、ウエスト及び手首である。システム１００は、所定のセンサ位置として、それらのうちの２つ、即ち首及び手首を選択する。インタフェースは、異なる態様で構築されることができる。例えば、ユーザ相互作用に関する複数のボタンで、各ボタンがそれぞれ所定のセンサ位置を表すようなボタン、ユーザ選択のため複数の所定のセンサ位置のリストを備えるタッチスクリーン、又はユーザがセンサ位置を選択することを可能にするスイッチで、構築されることができる。こうして、センサ位置は、ユーザにより容易かつ正確にセットされ、決定ユニット１０２により得られる。
【００２５】
別の実施形態では、決定ユニット１０２は、少なくとも１つのセンサ１０１を体に着用するためのバンド２４０の長さを検出するよう構成される第１の回路（図示省略）を有する。このバンド２４０の長さは、複数の所定のセンサ位置におけるセンサ位置に対応する。バンド２４０の長さを検出するための多くの態様が存在する。例えば金属で出来ているなどの理由でバンド２４０が導電性である場合、第１の回路によりバンド２４０の抵抗を測定することにより、バンド２４０の長さが直接検出されることができる。センサ位置を得るためバンド２４０の長さが検出されるので、バンド２４０の長さが調整可能であるとき、センサ１０１は、唯一のバンド２４０を用いることにより、体上の異なる位置に着用されることができる。
【００２６】
図２ａは、決定ユニット１０２の追加的な実施形態の概略図を示す。図２ｂは、複数の接点２１０の実施形態の概略図を示す。図２ｃは、接点２１０の実施形態の概略図を示す。図２ｄは、第２の回路２２０の実施形態の概略図を示す。
【００２７】
図２ａを参照すると、決定ユニット１０２の追加的な実施形態は、少なくとも１つのセンサ１０１を体に着用するためのバンド２４０を留めるよう構成される複数の接点２１０と、複数の接点２１０から接点の組み合わせを検出するよう構成される第２の回路２２０とを有し、この接点の組合せが、複数の所定のセンサ位置における上記センサ位置に対応する。
【００２８】
複数の所定のセンサ位置のいずれか１つにおいてセンサ１０１を着用するため１つのバンド２４０を用いること、又は、異なる所定のセンサ位置においてそれぞれセンサ１０１を着用するため異なるバンド２４０を用いることが可能である。バンド２４０の数は、複数の所定のセンサ位置の数に等しくても等しくなくてもよい。バンド２４０は、特定の接点２１０にだけ、又は複数の接点２１０におけるいくつかの接点２１０に留められることができる。バンド２４０は、例えば金属、プラスチック、綿、化学ファイバー等の物質から作られる。更に、異なる接点２１０と異なるバンド２４と０間のマッピングは、異なるサイズ及び形状で接点２１０を設計することにより制御されることができる。
【００２９】
接点の組合せは、この接点の組合せの接点数及び／又は接点分布に基づき検出される。図２ｂにおいて、接点の組合せの接点数及び／又は接点分布に基づきセンサ位置を得る方法が示される。２つの所定のセンサ位置が存在し、それは体の首又は手首である。更に、３つの接点２１１、２１２及び２１３が存在する。接点２１１は、センサ１０１の上部側にあり、接点２１２及び２１３は、センサ１０１の左側及び右側に別々にある。接点２１１からなる１つの接点の組合せは、体の首に対応し、接点２１２及び２１３からなる別の接点の組合せは、体の手首に対応する。ユーザがセンサ１０１を首周りに配置するとき、このユーザは、１つのバンド２４０を上部側で接点２１１に留める。接点の組合せの接点数が１つであり、接点の組合せの接点分布が上部側にあると第２の回路２２０が検出すると、センサ位置は首と決定される。ユーザがセンサ１０１を手首に着用するとき、このユーザは、別のバンド２４０を左及び右側で接点２１２及び２１３に留める。接点の組合せの接点数が２つであり、接点の組合せの接点分布が左及び右側であると第２の回路２２０が検出すると、センサ位置は手首と決定される。上述の実施形態において、接点の組合せは、接点の組合せの接点数及び接点分布の両方に基づき決定される。接点数だけに基づき、又は接点分布だけに基づき、接点の組合せを検出することも可能である。
【００３０】
接点２１０の構造を設計するための多くの態様が存在する。図２ｃは、接点２１０の１つの実施形態を示す。接点２１０は、バンド２４０にあるプラグ２５０と嵌合するよう構成されるジャッキ２６０を有し、第２の回路２２０は、ジャッキ２６０及びプラグ２５０が嵌合されるかどうかを検出するよう構成される。
【００３１】
センサ位置は、第２の回路２２０を慎重に設計することにより決定されることができる。図２ｄに示されるように、第２の回路２２０は、ばね２８０及び２つの開放端部２７０、２７０'を有する。バンド２４０は、接点２１０を通りばね２８０に留められる。センサ１０１が手首に着用されるとき、第２の回路２２０は、図２ｄの左部分に示されるように開かれている。センサ１０１が首周りに着用されるとき、図２ｄの右部分に示されるように、ばね２８０は、第２の回路２２０を閉じるため２つの開放端部２７０、２７０'に接触するよう伸びる。従って、第２の回路２２０は、センサ１０１がペンダントであるかどうかに関係なくセンサ位置を決定することができる。このセンサ位置は、異なる位置に対応する。
【００３２】
接点２１０は、すべての可能な接点の組合せが現実のセンサ位置に対応するよう設計されることができるか、又は、いくつかの可能な接点の組合せが現実のセンサ位置に対応しないようにしつつ、他のいくつかの可能な接点の組合せが現実のセンサ位置に対応するよう設計されることができる。ある実施態様において、２つの接点２１０、２つのバンド２４０及び２つの所定のセンサ位置が存在し、この２つの接点の形状は異なる。更に、２つのバンド２４０のうちの１つのバンド２４０は、２つの接点２１０のうちの１つの接点２１０にだけ留められることができ、各接点２１０は、１つのセンサ位置に対応する。従って、ユーザは可能性として２つのバンド２４０及び２つの接点２１０の組合せを誤ることができず、すべての可能な接点の組合せが、現実のセンサ位置に対応する。別の実施形態では、３つの接点２１０、１つのバンド２４０及び２つの所定のセンサ位置が存在する。更に、１つのバンド２４０は、３つの接点２１０のいずれかに留められることができ、１つの接点２１０は、１つのセンサ位置に対応し、他の２つの接点２１０は、別のセンサ位置に対応する。従って、ユーザは、１つのバンド２４０と３つの接点２１０との組合せを誤る場合があり、結果的に、いくつかの可能な接点の組合せは、現実のセンサ位置に対応するが、他の可能な接点の組合せは、現実のセンサ位置に対応しない。
【００３３】
決定ユニット１０２は更に、センサデータに基づき、参照センサ位置を推定し、センサ位置と参照センサ位置とを比較することにより、センサ位置が正確かどうかを決定するよう構成される。上記センサデータは、高度、加速度、重力、温度及び時間のデータのいずれか１つ又はこれらの組み合わせである。
【００３４】
参照センサ位置は、さまざまな態様で推定されることができる。ある実施態様において、比較的低い高度は、ユーザがベッドに横になっていることを示し、参照センサ位置は、手首と推定される。一方、比較的高い高度は、ユーザがベッド上に横になっていないことを示し、参照センサ位置は、首と推定される。別の実施形態では、２１時以降の時間は、ユーザがベッドに横になっていることを示し、参照センサ位置は、手首と推定され、２１時前の時間は、ユーザがベッド上に横になっていないことを示し、参照センサ位置は、首と推定される。センサ位置が、参照センサ位置と同じである場合、センサ位置は正確であると決定され、そうでない場合、センサ位置は、不正確であると決定される。
【００３５】
システム１００は更に、センサ位置が正確でないとき通知メッセージを出力する、及び／又は接点の組合せにより決定されるセンサ位置が現実のセンサ位置でないとき間違った接点の組み合わせであることを示す警告メッセージを出力するよう構成される出力部（図示省略）を有する。
【００３６】
通知メッセージは、ユーザがシステム１００を誤って操作したことを伝えるため出力される。通知メッセージが出力されるとき、ユーザはシステム１００を正確に操作したかをチェックし、誤った操作があった場合、システムをリセットする。
【００３７】
警告メッセージは、ユーザが接点２１０にバンド２４０を誤って留めたことを伝えるため出力され、ユーザは、バンド２４０を接点２１０に再度留めることを要求される。
【００３８】
図３は、本発明による方法を示すフローチャートである。
【００３９】
図３を参照すると、この方法は、ユーザの体に着用されるよう意図される少なくとも１つのセンサ１０１により転倒に関するセンサデータを生成するステップ３１０を有する。
【００４０】
この方法は更に、決定ユニット１０２により少なくとも１つのセンサ１０１のセンサ位置を決定するステップ３２０を有する。
【００４１】
この方法は更に、転倒が起きているかをプロセッサ１０３により決定するため、センサデータ及びセンサ位置に基づき解析を実行するステップ３３０を有する。
【００４２】
センサ１０１は、直接又はメモリ（図示省略）の助けを借りて、プロセッサ１０３にセンサデータを提供する。決定ユニット１０２は、直接又は別のメモリ（図示省略）の助けを借りて、プロセッサ１０３にセンサ位置を提供する。
【００４３】
センサ位置は、短距離にわたり端末（図示省略）へと、又は長距離にわたり例えば携帯電話といった受信機（図示省略）へと送信されることができる。
【００４４】
少なくとも１つのセンサ１０１のセンサ位置を決定するための多くの態様が存在する。
【００４５】
ある実施態様において、センサ位置を決定するステップ３２０は、インタフェースを用いて複数の所定のセンサ位置からセンサ位置をユーザが選択することを可能にするサブステップを有する。
【００４６】
別の実施形態では、センサ位置を決定するステップ３２０は、少なくとも１つのセンサ１０１を体に着用するためのバンド２４０の長さを第１の回路により検出するサブステップを有する。このバンド２４０の長さが、複数の所定のセンサ位置におけるセンサ位置に対応する。
【００４７】
更なる実施形態において、センサ位置を決定するステップ３２０は、複数の接点２１０における接点の組合せを第２の回路２２０により検出するサブステップを有する。接点の組合せは、複数の所定のセンサ位置におけるセンサ位置に対応し、複数の接点２１０は、少なくとも１つのセンサ１０１を体に着用するためのバンド２４０を留めるよう構成される。バンド２４０を接点２１０に留めるのは、ユーザである。
【００４８】
なお更なる実施形態において、センサ位置を決定するステップ３２０は、センサデータに基づき、参照センサ位置を推定し、センサ位置と参照センサ位置とを比較することにより、センサ位置が正確であるかを決定ユニット１０２を用いて決定するサブステップを有する。このセンサデータは、高度、加速度、重力、温度及び時間のデータのいずれか１つ又はこれらの組み合わせとすることができる。
【００４９】
この方法は更に、センサ位置が正確でないとき出力部を用いて通知メッセージを出力する、及び／又は接点の組み合わせにより決定されるセンサ位置が現実のセンサ位置でないとき、出力部を用いて、誤った接点の組合せを示す警告メッセージを出力するステップを有する。
【００５０】
上述された実施形態は本発明を限定するものではなく説明するものであり、当業者であれば、添付された請求項の範囲から逸脱することなく、代替的な実施形態をデザインすることができることになることに留意されたい。請求項において、括弧内に配置されるいかなる参照符号も請求項を限定するものとして解釈されるべきではない。「有する」という語は、請求項又は明細書にリストされない要素又はステップの存在を除外するものではない。ある要素に先行する「ａ」又は「ａｎ」という語は、斯かる要素が複数存在することを除外するものではない。複数のユニットを列挙するシステムクレームにおいて、これらのユニットの複数が、ハードウェア又はソフトウェアの１つの同じアイテムにより実現されることができる。第１、第２及び第３等の用語の使用は、何らかの順序を示すものではない。これらの語は、名前として解釈されるものである。
【図１】
2012522561.tif 000003
【図２ａ】
2012522561.tif 000004
【図２ｂ】
2012522561.tif 000005
【図２ｃ】
2012522561.tif 000006
【図２ｄ】
2012522561.tif 000007
【図３】
2012522561.tif 000008
【国際調査報告】
2012522561.tif 000009
2012522561.tif 000010
2012522561.tif 000011